(57)【要約】【課題】  スロット連結転送方式を使用する通信システムにおいて、適切な受信環境が得られるようにすること。【解決手段】  通信信号を含むタイムスロットを順次送信する送信部１３と、送信される各タイムスロットの、移動局装置２０における受信環境を示す受信環境情報を取得するＳ／Ｎ比取得部２４と、取得した受信環境情報により示される受信環境の変動量に基づき、連続する複数のタイムスロットについての制御用ビット列の少なくとも一部を１つのタイムスロットの制御用ビット列により代表させるか否かを判断する要求生成部２６と、判断結果に応じて、基地局装置１０がタイムスロットを送信する際、連続する複数のタイムスロットについての制御用ビット列の少なくとも一部を１つのタイムスロットの制御用ビット列により代表させるようにするタイムスロット制御部１８と、を含む移動体通信システム１。【選択図】図１
2007067584.tif 000002
【特許請求の範囲】
【請求項１】
第１の通信装置と第２の通信装置とを含む通信システムにおいて、前記第１の通信装置が前記第２の通信装置に対し送信するタイムスロットの制御方法であって、
前記第１の通信装置から前記第２の通信装置に対し、通信信号を含むタイムスロットを順次送信する送信ステップと、
前記送信される各タイムスロットの、前記第２の通信装置における受信環境を示す受信環境情報を取得する受信環境情報取得ステップと、
前記取得した受信環境情報により示される受信環境の変動量に基づき、連続する複数のタイムスロットについての制御用ビット列の少なくとも一部を１つのタイムスロットの制御用ビット列により代表させるか否かを判断する判断ステップと、
前記判断ステップにおける判断結果に応じて、前記第１の通信装置が前記送信ステップにおいてタイムスロットを送信する際、連続する複数のタイムスロットについての制御用ビット列の少なくとも一部を１つのタイムスロットの制御用ビット列により代表させるようにするタイムスロット制御ステップと、
を含むことを特徴とするタイムスロット制御方法。
【請求項２】
請求項１に記載のタイムスロット制御方法において、
前記判断ステップにおいて、前記取得した受信環境情報により示される受信環境の変動量が所定閾値より大きい場合に、連続する複数のタイムスロットについての制御用ビット列の少なくとも一部を１つのタイムスロットの制御用ビット列により代表させないと判断する、
ことを特徴とするタイムスロット制御方法。
【請求項３】
請求項１又は２に記載のタイムスロット制御方法において、
前記取得した受信環境情報により示される受信環境に基づき、前記送信手段によりタイムスロットを送信する際の変調方式を決定する変調方式決定ステップ、
をさらに含み、
前記送信手段において、前記第１の通信装置が前記送信手段により送信するタイムスロットについて、前記決定された変調方式で変調する、
ことを特徴とするタイムスロット制御方法。
【請求項４】
請求項１乃至３に記載のタイムスロット制御方法において、
前記受信環境情報取得ステップは、前記受信環境情報として、前記送信される各タイムスロットの、前記第２の通信装置における受信電力を示す情報を取得する、
ことを特徴とするタイムスロット制御方法。
【請求項５】
第１の通信装置と第２の通信装置とを含む通信システムにおいて、
前記第１の通信装置は、
タイムスロットを順次送信する送信手段、
を含み、
前記第２の通信装置は、
前記送信される各タイムスロットの受信環境を示す受信環境情報を取得する受信環境情報取得手段と、
前記取得した受信環境情報により示される受信環境の変動量に基づき、連続する複数のタイムスロットについての制御用ビット列の少なくとも一部を１つのタイムスロットの制御用ビット列により代表させるか否かを判断する判断手段と、
前記判断手段の判断結果に応じて、前記第１の通信装置が前記送信手段によりタイムスロットを送信する際、連続する複数のタイムスロットについての制御用ビット列の少なくとも一部を１つのタイムスロットの制御用ビット列により代表させるようにするタイムスロット制御手段と、
を含む、
ことを特徴とする通信システム。
【請求項６】
他の通信装置からタイムスロットを順次受信する受信手段と、
前記順次受信される各タイムスロットの受信環境を示す受信環境情報を取得する受信環境情報取得手段と、
前記取得した受信環境情報により示される受信環境の変動量に基づき、連続する複数のタイムスロットについての制御用ビット列の少なくとも一部を１つのタイムスロットの制御用ビット列により代表させるか否かを判断する判断手段と、
前記判断の結果を示す情報を、前記他の通信装置に対して送信する送信手段と、
を含むことを特徴とする通信装置。
【請求項７】
コンピュータを、
他の通信装置からタイムスロットを順次受信する受信手段、
前記順次受信される各タイムスロットの受信環境を示す受信環境情報を取得する受信環境情報取得手段、
前記取得した受信環境情報により示される受信環境の変動量に基づき、連続する複数のタイムスロットについての制御用ビット列の少なくとも一部を１つのタイムスロットの制御用ビット列により代表させるか否かを判断する判断手段、及び
前記判断の結果を示す情報を、前記他の通信装置に対して送信する送信手段、
として機能させるためのプログラム。
【発明の詳細な説明】
【技術分野】
【０００１】
本発明はタイムスロット制御方法、通信システム、通信装置、及びプログラムに関する。
【背景技術】
【０００２】
移動体通信システムには、信号を変調する際に、複数の変調方式の中から１つを選択して変調するようにしているものがある。この選択を動的に行うようにしたのが適応変調方式と呼ばれる方式であり、適応変調方式を採用している移動体通信システムでは、各通信装置は、通信相手から受信した信号の受信環境を示す受信環境情報のひとつである受信電力に基づいて、該通信装置が次に送信する信号の変調方式を決定する（例えば、特許文献１）。変調方式によって受信するために必要な受信電力（所要受信電力）が異なるからである。
【０００３】
通常、この適応変調はタイムスロット単位で行われる。このタイムスロットは、制御用ビット列を含むヘッダ部分と、通信内容を含むペイロード部分と、をこの順で含んで構成される。適応変調方式では、ヘッダ部分は予め定められた変調方式で送受信され、ヘッダ部分に含まれる制御用ビット列に当該タイムスロットの変調方式を示す情報を含めるようにしている。受信装置は、この情報により示される変調方式を使用して、当該タイムスロットのペイロード部分の復調を行う。
【特許文献１】特開２００４−２９７１２７号公報
【発明の開示】
【発明が解決しようとする課題】
【０００４】
ところで、出願人は、上記移動体通信システムにおいて、制御用ビット列をまとめたタイムスロット群（以下、連結タイムスロットという）を使用するスロット連結転送方式の導入を検討している。このスロット連結転送方式は、連続する複数のタイムスロットについての上記制御用ビット列の少なくとも一部を１つのタイムスロットの制御用ビット列により代表させることで、ヘッダ部分を短くペイロード部分を長くし、スルーレートを上げるようにする方式である。
【０００５】
しかしながら、このスロット連結転送方式において、連結タイムスロットを構成する各タイムスロットについての上記制御用ビット列のうち、変調方式を通信相手に伝えるための制御用ビット列を１つのタイムスロットの制御用ビットにより代表させた場合、上述の適応変調方式では、連結タイムスロットを構成する各タイムスロットについては同じ変調方式とならざるを得ない。つまり、スロット連結転送方式を使用すると、使用しない場合に比べ変調方式の制御が粗くなり、適切な受信環境が得られない場合が生じるという問題が生ずる。
【０００６】
従って、本発明の課題の一つは、スロット連結転送方式を使用する通信システムにおいて、適切な受信環境が得られるようにすることができるタイムスロット制御方法、通信システム、通信装置、及びプログラムを提供することにある。
【課題を解決するための手段】
【０００７】
上記課題を解決するための本発明に係るタイムスロット制御方法は、第１の通信装置と第２の通信装置とを含む通信システムにおいて、前記第１の通信装置が前記第２の通信装置に対し送信するタイムスロットの制御方法であって、前記第１の通信装置から前記第２の通信装置に対し、通信信号を含むタイムスロットを順次送信する送信ステップと、前記送信される各タイムスロットの、前記第２の通信装置における受信環境を示す受信環境情報を取得する受信環境情報取得ステップと、前記取得した受信環境情報により示される受信環境の変動量に基づき、連続する複数のタイムスロットについての制御用ビット列の少なくとも一部を１つのタイムスロットの制御用ビット列により代表させるか否かを判断する判断ステップと、前記判断ステップにおける判断結果に応じて、前記第１の通信装置が前記送信ステップにおいてタイムスロットを送信する際、連続する複数のタイムスロットについての制御用ビット列の少なくとも一部を１つのタイムスロットの制御用ビット列により代表させるようにするタイムスロット制御ステップと、を含むことを特徴とする。
【０００８】
これによれば、受信環境の変動量に基づいてスロット連結転送方式を使用するか否かを決定することができるので、スロット連結転送方式を使用する通信システムにおいて、適切な受信環境が得られるようになる。
【０００９】
また、上記タイムスロット制御方法において、前記判断ステップにおいて、前記取得した受信環境情報により示される受信環境の変動量が所定閾値より大きい場合に、連続する複数のタイムスロットについての制御用ビット列の少なくとも一部を１つのタイムスロットの制御用ビット列により代表させないと判断する、こととしてもよい。
【００１０】
さらに、これらのタイムスロット制御方法において、前記取得した受信環境情報により示される受信環境に基づき、前記送信手段によりタイムスロットを送信する際の変調方式を決定する変調方式決定ステップ、をさらに含み、前記送信手段において、前記第１の通信装置が前記送信手段により送信するタイムスロットについて、前記決定された変調方式で変調する、こととしてもよい。
【００１１】
さらに、上記各タイムスロット制御方法において、前記受信環境情報取得ステップは、前記受信環境情報として、前記送信される各タイムスロットの、前記第２の通信装置における受信電力を示す情報を取得する、こととしてもよい。
【００１２】
また、本発明に係る通信システムは、第１の通信装置と第２の通信装置とを含む通信システムにおいて、前記第１の通信装置は、タイムスロットを順次送信する送信手段、を含み、前記第２の通信装置は、前記送信される各タイムスロットの受信環境を示す受信環境情報を取得する受信環境情報取得手段と、前記取得した受信環境情報により示される受信環境の変動量に基づき、連続する複数のタイムスロットについての制御用ビット列の少なくとも一部を１つのタイムスロットの制御用ビット列により代表させるか否かを判断する判断手段と、前記判断手段の判断結果に応じて、前記第１の通信装置が前記送信手段によりタイムスロットを送信する際、連続する複数のタイムスロットについての制御用ビット列の少なくとも一部を１つのタイムスロットの制御用ビット列により代表させるようにするタイムスロット制御手段と、を含む、ことを特徴とする。
【００１３】
また、本発明に係る通信装置は、他の通信装置からタイムスロットを順次受信する受信手段と、前記順次受信される各タイムスロットの受信環境を示す受信環境情報を取得する受信環境情報取得手段と、前記取得した受信環境情報により示される受信環境の変動量に基づき、連続する複数のタイムスロットについての制御用ビット列の少なくとも一部を１つのタイムスロットの制御用ビット列により代表させるか否かを判断する判断手段と、前記判断の結果を示す情報を、前記他の通信装置に対して送信する送信手段と、を含むことを特徴とする。
【００１４】
さらに、本発明に係るプログラムは、コンピュータを、他の通信装置からタイムスロットを順次受信する受信手段、前記順次受信される各タイムスロットの受信環境を示す受信環境情報を取得する受信環境情報取得手段、前記取得した受信環境情報により示される受信環境の変動量に基づき、連続する複数のタイムスロットについての制御用ビット列の少なくとも一部を１つのタイムスロットの制御用ビット列により代表させるか否かを判断する判断手段、及び前記判断の結果を示す情報を、前記他の通信装置に対して送信する送信手段、として機能させるためのプログラムである。
【発明を実施するための最良の形態】
【００１５】
本発明の実施の形態について、図面を参照しながら説明する。
【００１６】
図１は、本実施の形態に係る移動体通信システム１のシステム構成及び機能ブロックを示す図である。同図に示すように、移動体通信システム１は、基地局装置１０と移動局装置２０とを含んで構成される。基地局装置１０及び移動局装置２０は、ともにＣＰＵとメモリを備えた通信装置である。基地局装置１０と移動局装置２０とは、時分割多重にて通信を行う。
【００１７】
時分割多重通信では、所定時間長の上りフレームと、所定時間長の下りフレームと、が連続して交互に送受信される。なお、「上りフレーム」は移動局装置２０から基地局装置１０へ送信されるフレームであり、「下りフレーム」は基地局装置１０から移動局装置２０へ送信されるフレームである。上りフレームと下りフレームとでは、その時間長が異なっている場合もある。
【００１８】
上りフレームは、所定時間長の複数のタイムスロット（ここでは、４つのタイムスロットとする）に分割される。下りフレームも、所定時間長の同数のタイムスロットに分割される。上りフレームに含まれるタイムスロットのｎ番目と下りフレームに含まれるタイムスロットのｎ番目とは対応しており（ｎ＝１〜４）、基地局装置１０と移動局装置２０の通信では、対応するタイムスロットを使用して信号の送受信が行われる。
【００１９】
ところで、ある移動局装置２０と基地局装置１０が通信を行う場合、通常は、上述のように上り下りでそれぞれ対応するタイムスロットに使用して通信が行われるが、本実施の形態では、同じフレーム内の連続する複数のタイムスロットを使用する通信も行われる。このように複数のタイムスロットを１の通信に使用することにより、本実施の形態では、１のタイムスロットを使用する場合に比べ通信レートを上げるようにしている。以下では、１の通信のために使用されるタイムスロット群を連結タイムスロットと称する。
【００２０】
また、移動体通信では、送信装置は、各タイムスロットに制御用ビット列を含めて送信する。この制御用ビット列は、受信装置において、該制御用ビット列が含まれるタイムスロットを受信するために使用される。この制御用ビット列の具体的な例としては、例えば当該信号の変調方式を示す変調方式情報や、同期をとるための同期ワード、受信装置を特定する情報などがあり、移動体通信システムの方式（ＰＨＳ、ｉＢｕｒｓｔ（登録商標）、ＣＤＭＡ２０００など）やそのバージョンにより異なる。
【００２１】
なお、この変調方式情報は適応変調方式を使用する場合に含められる情報である。すなわち、変調方式情報を含むタイムスロットの先頭部分を予め決められた変調方式で変調し、先頭以外の部分を、適応変調により決定された変調方式を示す変調方式情報により示される変調方式で変調することになる。なお、移動局装置２０からの指示により基地局装置１０が送信するタイムスロットの変調方式を変化させる適応変調方式を採用する場合には、必ずしも変調方式情報を含める必要はないし、タイムスロットの先頭部分を予め決められた変調方式で変調する必要もない。この場合には、タイムスロットの全体を移動局装置２０から指示された変調方式で変調することとしてもよい。
【００２２】
上述のように、制御用ビット列は、通常は各タイムスロットに含まれる。制御用ビット列は、送信装置から受信装置に伝えるべき情報であるところ、各タイムスロットは、それぞれ異なる移動局装置２０の通信に使用されるものであるからである。この点、上記連結タイムスロットでは、連結タイムスロットを構成する複数のタイムスロットは全て同じ送信装置から同じ受信装置に対し送信される。このため、連結タイムスロットを構成する複数のタイムスロットにそれぞれ制御用ビット列を含める必要はなく、移動体通信システム１では、連結タイムスロットを構成する複数のタイムスロットについての制御用ビット列の一部又は全部を、１つのタイムスロットの制御用ビット列により代表させている。つまり、連結タイムスロットの制御用ビット列は、１つのタイムスロット分のみとしている。
【００２３】
本実施の形態では、移動局装置２０は、基地局装置１０から受信された信号の受信環境により、以上説明したように、基地局装置１０が送信する連続する複数のタイムスロットについての制御用ビット列の一部又は全部を、１つのタイムスロットの制御用ビット列により代表させるか否かを決定する。すなわち、下りフレームについて連結タイムスロットを使用するか否かを決定する。以下、このための構成及び機能について、図１に示す機能ブロック図及び図２乃至図５を参照しながら詳細に説明する。
【００２４】
図１に示すように、基地局装置１０は、送信情報取得部１１、タイムスロット生成部１２、送信部１３、受信部１４、タイムスロット取得部１５、受信情報取得部１６、要求取得部１７、タイムスロット制御部１８を含んで構成される。また、移動局装置２０は、受信部２１、タイムスロット取得部２２、受信情報取得部２３、Ｓ／Ｎ比取得部２４、Ｓ／Ｎ比変動量取得部２５、要求生成部２６、送信情報取得部２７、タイムスロット生成部２８、送信部２９を含んで構成される。
【００２５】
送信情報取得部１１は、基地局装置１０が移動局装置２０に対して送信する情報（通信信号）を取得し、タイムスロット生成部１２に出力する。
【００２６】
タイムスロット生成部１２は、後述するタイムスロット制御部１８の決定したタイムスロットに、送信情報取得部１１から入力された通信信号を割り当てることにより、タイムスロットを生成する。なお、タイムスロット生成部１２は、生成するタイムスロットごと又は生成する連結タイムスロットごとに制御用ビット列を含める。タイムスロット生成部１２は、このようにして生成したタイムスロット又は連結タイムスロットを送信部１３に出力する。
【００２７】
送信部１３は、タイムスロット生成部１２から入力されたタイムスロット又は連結タイムスロットを、後述するタイムスロット制御部１８の指定した変調方式で変調し、無線信号として順次送信する。
【００２８】
受信部２１は、送信部１３により送信された無線信号を受信し、復調する。受信部２１は、復調により得られた信号を、タイムスロット取得部２２に出力する。
【００２９】
タイムスロット取得部２２は、受信部２１から入力された信号から、タイムスロットを抽出し、受信情報取得部２３に出力する。
【００３０】
受信情報取得部２３は、入力されたタイムスロットに含まれる制御用ビット列と通信信号とをそれぞれ抽出し、まずタイムスロット取得部２２から入力されたタイムスロットが連結されているか否かを判断する。連結されてないと判断した場合には、受信情報取得部２３は、通信信号を図示しない通信処理部に出力するとともに、各タイムスロットについて制御用ビット列に応じた処理を行う。制御用ビット列に応じた処理の具体的な例としては、当該タイムスロットが自分宛に送信されたものかどうかを判断する処理や、変調方式情報により受信部２１における復調に使用する変調方式を決定する処理などが挙げられる（この場合、受信部２１は、変調方式情報を含むタイムスロットの先頭部分を予め決められた変調方式で復調し、先頭以外の部分を受信情報取得部２３が決定した変調方式で復調することになる。）。
【００３１】
一方、連結されていると判断した場合には、受信情報取得部２３は、通信信号を図示しない通信処理部に出力するとともに、連結タイムスロットを構成する各タイムスロットについて、各タイムスロットのうちの１つに含まれる制御用ビット列に応じた処理を行う。
【００３２】
Ｓ／Ｎ比取得部２４は、タイムスロット取得部２２で取得された各タイムスロットの受信環境を示す受信環境情報を取得する。本実施の形態では、この受信環境情報として、受信電力を示す情報であるＳ／Ｎ比(Signal to Noise ratio、信号対雑音比)を用いるが、受信電力そのものやエラーレートなども使用することとしてもよい。
【００３３】
Ｓ／Ｎ比変動量取得部２５は、Ｓ／Ｎ比取得部２４が取得した受信環境情報の、フレーム内における変動量を取得する。以下、この処理について、図２乃至図５を参照しながら説明する。
【００３４】
図２乃至図５は、基地局装置１０と移動局装置２０との間で送受信されるタイムスロット又は連結タイムスロットの模式図である。
【００３５】
図２では、基地局装置１０は、移動局装置２０に対し３２ＱＡＭで変調した連結タイムスロットを送信する。移動局装置２０は、送信された連結タイムスロットを受信するが、このときＳ／Ｎ比取得部２４は、連結タイムスロットを構成する各タイムスロット（タイムスロットＲ１乃至Ｒ４と表示する。）のＳ／Ｎ比を取得する。すると、４つのＳ／Ｎ比が取得できることになり、Ｓ／Ｎ比変動量取得部２５は、このうち最大のものと最小のものの差αを変動量として取得する。なお、Ｓ／Ｎ比変動量取得部２５は、最先のタイムスロットＲ１と最後のタイムスロットＲ４との差を変動量として取得することとしてもよい。図３も図２と同様であるが、変動量βはαより大きくなっている。
【００３６】
図４では、基地局装置１０は、移動局装置２０に対し３２ＱＡＭの連結していないタイムスロットを送信する。移動局装置２０は、送信された各タイムスロットを受信するが、このときＳ／Ｎ比取得部２４は、各タイムスロットのＳ／Ｎ比を取得する。すると、４つのＳ／Ｎ比が取得できることになり、Ｓ／Ｎ比変動量取得部２５は、このうち最大のものと最小のものの差αを変動量として取得する。なお、Ｓ／Ｎ比変動量取得部２５が最先のタイムスロットＲ１と最後のタイムスロットＲ４との差を変動量として取得することとしてもよいのは、図２の場合と同様である。図５も図４と同様であるが、変動量βはαより大きくなっている。
【００３７】
要求生成部２６は、このようにして取得された変動量に基づき、連続する複数のタイムスロットについての制御用ビット列の少なくとも一部を１つのタイムスロットの制御用ビット列により代表させるか否かを判断する。すなわち、基地局装置１０に連結タイムスロットを使用させるか否かを判断する。より具体的には、要求生成部２６は、取得された変動量が所定閾値より大きい場合に、連続する複数のタイムスロットについての制御用ビット列の少なくとも一部を１つのタイムスロットの制御用ビット列により代表させないと判断し、取得された変動量が所定閾値より小さい場合に、連続する複数のタイムスロットについての制御用ビット列の少なくとも一部を１つのタイムスロットの制御用ビット列により代表させると判断する。
【００３８】
要求生成部２６は、また、Ｓ／Ｎ比取得部２４が取得した受信環境情報により示される受信環境に基づき、基地局装置１０がタイムスロットを送信する際の変調方式を決定する。変調方式によって通信レートは異なるが、一般的に、通信レートが高い変調方式ほど、正常に受信するために、よい受信環境が必要である。そこで、要求生成部２６は、Ｓ／Ｎ比取得部２４が取得した受信環境情報により示される受信環境がよいほど、基地局装置１０がタイムスロットを送信する際の変調方式が高い通信レートのものになるよう、決定する。
【００３９】
以上のようにして、基地局装置１０に連結タイムスロットを使用させるか否かを判断し、通信に使用する変調方式を決定した要求生成部２６は、その判断結果及び決定した変調方式を示す情報を含む要求を生成する。具体的には、基地局装置１０に連結タイムスロットを使用させる場合にはスロット連結転送要求（連結要求）を、基地局装置１０に連結タイムスロットを使用させない場合には単一スロット転送要求（単一要求）を、それぞれ生成する。また、決定した変調方式が３２ＱＡＭであれば３２ＱＡＭ要求を、１６ＱＡＭであれば１６ＱＡＭ要求を、というように決定した変調方式を示す要求を生成する。以下、この処理について、図２乃至図５を再度参照しながら説明する。なお、変動量αは、基地局装置１０に連結タイムスロットを使用させるか否かの判断基準となる上記所定閾値より小さく、変動量βは大きいものとして説明する。
【００４０】
図２では、変動量がαであるので、要求生成部２６は、基地局装置１０に連結タイムスロットを使用させると判断する。また、各タイムスロットのＳ／Ｎ比から、要求生成部２６は、基地局装置１０が連結タイムスロットを送信する際の変調方式を３２ＱＡＭとして決定する。そこで、要求生成部２６は、スロット連結転送要求と３２ＱＡＭ要求を生成する。図４においても図２と同様である。
【００４１】
図３では、変動量がβであるので、要求生成部２６は、基地局装置１０に連結タイムスロットを使用させないと判断する。また、各タイムスロット（タイムスロットＲ１乃至Ｒ４）のＳ／Ｎ比から、要求生成部２６は、基地局装置１０が対応する各タイムスロット（次下りフレームのタイムスロットＲ１乃至Ｒ４）を送信する際の変調方式を、それぞれ３２ＱＡＭ、１６ＱＡＭ、８ＰＳＫ、ＱＰＳＫとして決定する。そこで、要求生成部２６は、単一スロット転送要求、３２ＱＡＭ要求、１６ＱＡＭ要求、８ＰＳＫ要求、ＱＰＳＫ要求、をそれぞれ生成する。図５においても図３と同様である。
【００４２】
以上のようにして、要求生成部２６は、基地局装置１０に対する要求を生成し、送信情報取得部２７に出力する。
【００４３】
送信情報取得部２７は、移動局装置２０が基地局装置１０に対して送信する情報（通信信号）を取得し、タイムスロット生成部２８に出力する。送信情報取得部２７は、この通信信号の一部として、要求生成部２６から入力された各要求を示す情報を取得する。
【００４４】
タイムスロット生成部２８は、送信情報取得部１１から入力された通信信号を含むタイムスロットを生成する。なお、要求生成部２６が単一スロット転送要求を生成した場合、タイムスロット生成部２８は、図３又は図５に示すように、要求生成部２６がタイムスロットＲｎ（ｎ＝１〜４）について決定した変調方式を示す要求を、対応するタイムスロットＴｎ（ｎ＝１〜４）に含める。タイムスロット生成部２８は、このようにして生成したタイムスロットを送信部２９に出力する。
【００４５】
送信部２９は、タイムスロット生成部２８から入力されたタイムスロットを変調し、無線信号として順次送信する。
【００４６】
受信部１４は、送信部２９により送信された無線信号を受信し、復調する。受信部１４は、復調により得られた信号を、タイムスロット取得部１５に出力する。
【００４７】
タイムスロット取得部１５は、受信部１４から入力された信号から、タイムスロットを抽出し、受信情報取得部１６に出力する。
【００４８】
受信情報取得部１６は、入力されたタイムスロットに含まれる制御用ビット列と通信信号とをそれぞれ抽出し、通信信号を図示しない通信処理部に出力するとともに、各タイムスロットについて制御用ビット列に応じた処理を行う。
【００４９】
要求取得部１７は、受信情報取得部１６が通信処理部に出力する通信信号から、上記各要求を取得し、タイムスロット制御部１８に出力する。
【００５０】
タイムスロット制御部１８は、要求取得部１７から入力された各要求に応じて、タイムスロットを送信する際、連続する複数のタイムスロットについての制御用ビット列の少なくとも一部を１つのタイムスロットの制御用ビット列により代表させるようにする。具体的には、要求取得部１７から入力された要求にスロット連結転送要求が含まれていた場合、タイムスロットを送信する際、連続する複数のタイムスロットについての制御用ビット列の少なくとも一部を１つのタイムスロットの制御用ビット列により代表させる（連結タイムスロットを使用する）ようにする。一方、要求取得部１７から入力された要求に単一スロット転送要求が含まれていた場合、タイムスロットを送信する際、連続する複数のタイムスロットについての制御用ビット列の少なくとも一部を１つのタイムスロットの制御用ビット列により代表させない（連結タイムスロットを使用しない）ようにする。
【００５１】
タイムスロット制御部１８は、連結タイムスロットを使用することを決定した場合、制御用ビット列を連結タイムスロットを構成するタイムスロットの１つの一部に割り当て、通信信号を該タイムスロットの残りの部分と他のタイムスロットに割り当てるよう、タイムスロット生成部１２を制御する。一方、連結タイムスロットを使用しないことを決定した場合、タイムスロット制御部１８は、各タイムスロットに制御用ビット列と通信信号を割り当てるよう、タイムスロット生成部１２を制御する。
【００５２】
また、タイムスロット制御部１８は、要求取得部１７から入力された各要求に応じて、送信部１３に対し、各タイムスロットの変調方式を指定する。
【００５３】
以上の結果として、図２及び図４では３２ＱＡＭの連結タイムスロットが、図３及び図５では４つのタイムスロットが、それぞれ続く下りフレームで送信されている。
【００５４】
以上説明した処理のうち、連結タイムスロットを使用させるか否かを決定する処理を、移動局装置２０の処理フロー図を参照しながら、再度より詳細に説明する。
【００５５】
図６は、移動局装置２０の処理フローを示す図である。同図に示すように、移動局装置２０は、まず受信状態を判断する（Ｓ１）。すなわち、移動局装置２０は、受信した信号が連結タイムスロットとして受信されたか否かを判断する。連結タイムスロットとして受信された場合、移動局装置２０は、連結タイムスロットに含まれる各タイムスロットのそれぞれについて、Ｓ１２及びＳ１３の処理を行う（Ｓ１１，Ｓ１４，Ｓ１５）。なお、ここでは、タイムスロットの連結はフレーム単位で行われるものとして説明する。
【００５６】
連結タイムスロットとして受信されていない場合も同様に、移動局装置２０は、下りフレームに含まれる各タイムスロットのそれぞれについて、Ｓ２２及びＳ２３の処理を行う（Ｓ２１，Ｓ２４，Ｓ２５）。
【００５７】
Ｓ１２の処理では、移動局装置２０は連結前のタイムスロット（連結タイムスロットを構成する各タイムスロット）のＳ／Ｎ比を測定する。移動局装置２０は、このようにして測定したＳ／Ｎ比の、それまでに同様にして測定していたＳ／Ｎ比からの変動量を算出する（Ｓ１３）。Ｓ１２において、連結タイムスロットに含まれる全てのタイムスロットのＳ／Ｎ比の測定が終了すると、その後のＳ１３において算出される変動量は、連結タイムスロットに含まれる全てのタイムスロットのＳ／Ｎ比を反映させた変動量となる。ここでは、この変動量をαとする。
【００５８】
変動量αが算出されると、移動局装置２０は、αと予め記憶している閾値γとを比較する（Ｓ１６）。移動局装置２０は、αがγより大きい場合には、連結タイムスロットを使用させないことを決定し、単一スロット転送を要求する（Ｓ３０）。αがγより小さい場合には、移動局装置２０は、連結タイムスロットを使用させることを決定し、スロット連結転送を要求する（Ｓ３１）。
【００５９】
Ｓ２２の処理では、移動局装置２０は各タイムスロット（下りフレームに含まれる各タイムスロット）のＳ／Ｎ比を測定する。移動局装置２０は、このようにして測定したＳ／Ｎ比の、それまでに同様にして測定していたＳ／Ｎ比からの変動量を算出する（Ｓ２３）。Ｓ２２において、下りフレームに含まれる全てのタイムスロットのＳ／Ｎ比の測定が終了すると、その後のＳ２３において算出される変動量は、下りフレームに含まれる全てのタイムスロットのＳ／Ｎ比を反映させた変動量となる。ここでは、この変動量をβとする。
【００６０】
変動量βが算出されると、移動局装置２０は、βと予め記憶している閾値γとを比較する（Ｓ２６）。移動局装置２０は、βがγより大きい場合には、連結タイムスロットを使用させないことを決定し、単一スロット転送を要求する（Ｓ３０）。βがγより小さい場合には、移動局装置２０は、連結タイムスロットを使用させることを決定し、スロット連結転送を要求する（Ｓ３１）。
【００６１】
以上のようにすることにより、移動局装置２０は、その受信環境の変動量に基づいてスロット連結転送方式を使用するか否かを決定することができるので、スロット連結転送方式を使用する移動体通信システム１において、移動局装置２０が適切な受信環境が得られるようになる。
【００６２】
なお、本発明は上記実施の形態に限定されるものではない。例えば、上記実施の形態では移動局装置２０が、その受信環境の変動量に基づいて基地局装置１０に連結タイムスロットを使用させるか否かを決定しているが、基地局装置１０が、その受信環境の変動量に基づいて移動局装置２０に連結タイムスロットを使用させるか否かを決定してもよいのはもちろんである。また、上記実施の形態では、１フレームに含まれる全てのタイムスロットから連結タイムスロットを構成したが、その一部のみから構成するようにしてもよい。
【００６３】
また、本発明は移動体通信システムに限定されるものではなく、時分割多重を使用する通信システムであれば、本発明を適用することができる。
【図面の簡単な説明】
【００６４】
【図１】本発明の実施の形態に係る移動体通信システムのシステム構成及び機能ブロックを示す図である。
【図２】本発明の実施の形態に係るタイムスロット制御の説明図である。
【図３】本発明の実施の形態に係るタイムスロット制御の説明図である。
【図４】本発明の実施の形態に係るタイムスロット制御の説明図である。
【図５】本発明の実施の形態に係るタイムスロット制御の説明図である。
【図６】本発明の実施の形態に係る処理のフローを示す図である。
【符号の説明】
【００６５】
１  移動体通信システム、１０  基地局装置、１１  送信情報取得部、１２  タイムスロット生成部、１３  送信部、１４  受信部、１５  タイムスロット取得部、１６  受信情報取得部、１７  要求取得部、１８  タイムスロット制御部、２０  移動局装置、２１  受信部、２２  タイムスロット取得部、２３  受信情報取得部、２４  Ｓ／Ｎ比取得部、２５  Ｓ／Ｎ比変動量取得部、２６  要求生成部、２７  送信情報取得部、２８  タイムスロット生成部、２９  送信部。
【図１】
2007067584.tif 000003
【図２】
2007067584.tif 000004
【図３】
2007067584.tif 000005
【図４】
2007067584.tif 000006
【図５】
2007067584.tif 000007
【図６】
2007067584.tif 000008